(57)【特許請求の範囲】
【請求項１】
インクと処理液とを吐出可能な記録ヘッドを、記録媒体上に対して複数回走査させることによって、前記記録媒体の所定領域に、前記インクによる画像の形成と、前記処理液による前記形成画像の被覆と、を行うインクジェット記録装置であって、
前記記録ヘッドから前記インクを吐出するための、前記複数回の走査それぞれに対応するインク用吐出データを取得する取得手段と、
前記所定領域毎に、前記複数回の走査のうちの前記インクが吐出される最終の走査が前記複数回の走査のうちの何回目となるかを、前記インク用吐出データに基づいて検出するための検出手段と、
を備え、
前記最終の走査が何回目であるかに基づいて、前記所定領域毎の前記最終の走査の次の走査で各前記所定領域に前記記録ヘッドから前記処理液を吐出することを特徴とするインクジェット記録装置。
【請求項２】
複数の前記所定領域のなかから前記処理液が吐出される所定領域を間引くように、前記記録ヘッドから前記処理液を吐出するための、複数の前記所定領域に対応する処理液用吐出データを処理液用マスクパターンを用いて所定の割合で間引くことを特徴とする請求項１に記載のインクジェット記録装置。
【請求項３】
前記インクによる画像が形成されない前記所定領域に関しては、前記記録ヘッドの前記複数回の走査における少なくとも１回の走査時に前記処理液を吐出することを特徴とする請求項１または２に記載のインクジェット記録装置。
【請求項４】
前記インクによる画像が形成されない前記所定領域に関しては、前記記録ヘッドの前記複数回の走査における最初の走査時に前記処理液を吐出することを特徴とする請求項１から３のいずれかに記載のインクジェット記録装置。
【請求項５】
前記記録ヘッドは、前記インクとして異なる複数のインクを吐出可能であることを特徴とする請求項１から４のいずれかに記載のインクジェット記録装置。
【請求項６】
前記処理液は、前記記録媒体及び前記形成画像の表面に透明層を形成するための樹脂成分を含むことを特徴とする請求項１から５のいずれかに記載のインクジェット記録装置。
【請求項７】
前記処理液は有色であることを特徴とする請求項１から６のいずれかに記載のインクジェット記録装置。
【請求項８】
前記処理液の色は、前記インクの色よりも薄いことを特徴とする請求項１から７のいずれかに記載のインクジェット記録装置。
【請求項９】
インクと処理液とを吐出可能な記録ヘッドを、記録媒体上に対して複数回走査させることによって、前記記録媒体の所定領域に、前記インクによる画像の形成と、前記処理液による前記形成画像の被覆と、を行うインクジェット記録方法であって、
前記記録ヘッドから前記インクを吐出するための、前記複数回の走査それぞれに対応するインク用吐出データを取得する取得工程と、
前記所定領域毎に、前記複数回の走査のうちの前記インクが吐出される最終の走査が前記複数回の走査のうちの何回目となるかを、前記インク用吐出データに基づいて検出するための検出工程と、
を含み、
前記最終の走査が何回目であるかに基づいて、前記所定領域毎の前記最終の走査の次の走査で各前記所定領域に前記記録ヘッドから前記処理液を吐出することを特徴とするインクジェット記録方法。
【請求項１０】
複数の前記所定領域のなかから前記処理液が吐出される所定領域を間引くように、前記記録ヘッドから前記処理液を吐出するための、複数の前記所定領域に対応する処理液用吐出データを処理液用マスクパターンを用いて所定の割合で間引くことを特徴とする請求項９に記載のインクジェット記録方法。
【請求項１１】
前記インクによる画像が形成されない前記所定領域に関しては、前記記録ヘッドの前記複数回の走査における少なくとも１回の走査時に前記処理液を吐出することを特徴とする請求項９または１０に記載のインクジェット記録方法。
【請求項１２】
前記インクによる画像が形成されない前記所定領域に関しては、前記記録ヘッドの前記複数回の走査における最初の走査時に前記処理液を吐出することを特徴とする請求項９から１１のいずれかに記載のインクジェット記録方法。
【請求項１３】
前記記録ヘッドは、前記インクとして異なる複数のインクを吐出可能であることを特徴とする請求項９から１２のいずれかに記載のインクジェット記録方法。
【請求項１４】
前記処理液は、前記記録媒体及び前記形成画像の表面に透明層を形成するための樹脂成分を含むことを特徴とする請求項９から１３のいずれかに記載のインクジェット記録方法。
【請求項１５】
インクを吐出可能な記録ヘッドの記録媒体に対する複数回の走査によって前記記録媒体の所定領域に形成されるインクの画像に対して、当該画像を被覆するための処理液を前記記録ヘッドから吐出するための吐出データを生成するデータ生成装置であって、
前記所定領域毎に、前記複数回の走査のうちの前記インクが吐出される最終の走査が前記複数回の走査のうちの何回目となるかを取得する取得手段と、
前記最終の走査が何回目であるかに基づいて、前記所定領域毎の前記最終の走査の次の走査で各前記所定領域に前記記録ヘッドから前記処理液を吐出させるように前記吐出データを生成する生成手段と、
を備えることを特徴とするデータ生成装置。
【発明の詳細な説明】
【技術分野】
【０００１】
本発明は、記録媒体上にインクによる画像の形成と、処理液による形成画像の被覆と、を行うためのインクジェット記録装置、インクジェット記録方法およびデータ生成装置に関するものである。
【背景技術】
【０００２】
近年、インクジェット記録装置は、記録する画像の高精細化に伴い、写真やポスター、グラフィックプリントなど大衆展示用途や商用印刷用途などで幅広く用いられている。このような大衆展示用途や商用印刷用途のために形成された画像では、高精細の他、光沢均一性やブロンズ性などの画像品位を高める要求や、画像の強度や長期保存性などを示す画像堅牢性を高める要求がある。ここでブロンズ性とは、照明光が画像表面で正反射（鏡面反射）する際、ブロンズ現象によって照明光の色と異なった色を反射する度合いのことであり、特に、シアンインクで顕著に現れることが知られている。
【０００３】
インクジェット記録装置に用いられる着色インクとしては、染料系と顔料系に大別される。染料インクは、着色染料が水やアルコール系媒体に分子状態で溶解しているため、顔料インクよりも透明性が高く発色に優れるという特性を有するが、紫外線や空気中の活性ガスによる退色が早いという欠点がある。一方、顔料インクは長期保存による耐退色性に優れている。近年、顔料インクは製造技術の進歩により、顔料インク本来の長期保存性能と、染料インクに匹敵する高発色性と、の両立が可能になった。そのため、記録した画像を長期に亘って保存する要求の高い、写真やポスターなどの商用印刷用途を中心に、顔料インクを用いたインクジェット記録装置が普及している。
【０００４】
しかし、顔料を用いた、特にこのような用途では、画像の光沢度が不均一になりやすい問題や、顔料シアンインクに代表されるブロンズ現象など、従来から懸念されてきた画像品位の問題が重要になりつつある。また、ポスターなどの展示用途が増すにつれ、オフセット印刷物と比較した場合の画像の強度や長期保存性などを示す画像堅牢性の弱さは、新たな問題として掲げられている。
【０００５】
以下に、画像堅牢性の問題のうち、耐擦過性の問題を一例として説明する。主たる問題は、顔料インクを使用して光沢紙に記録したときに、その記録後の取り扱い時や展示中など、一般的な取り扱い作業工程にも関わらず、画像が傷つきやすいことである。
【０００６】
図２２（ａ）は、インク受容層が形成された記録媒体に、顔料インクを使用して形成した画像の断面を模式的に示した図である。顔料インクを使用して光沢紙に形成した画像が傷つきやすい理由を、図２２（ａ）を用いて以下に説明する。
【０００７】
インクジェット記録装置に用いられる記録媒体は、紙やフィルムなどの基材（不図示）の表面に、インクの吸収を目的として、インク受容層２４が形成された構成になっている。インク受容層２４は、インクの滲み等を低減させるために、インク溶媒に対し吸収性の高いシリカやアルミナなど無機系の微粒子が多量に含まれている。写真の記録に用いられる光沢紙のような記録媒体においては、高い表面平滑性が必要となるために、サブミクロンオーダーの無機粒子が一般に用いられる。従って、インク受容層２４に形成される無機微粒子間の隙間は、その粒子径と比例するため、サブミクロンオーダーの細孔で形成されている。
【０００８】
一方、顔料インクは、インク中において着色顔料が約１００ナノメート程度の粒子として分散している。従って、着色顔料粒子よりインク受容層２４の細孔径の方が小さい場合、着色顔料粒子がインク受容層２４の内部に進入することができず、篩いに掛けられたように表面に留まってしまう。一般に、光沢紙のような記録媒体では、着色顔料粒子の径よりもインク受容層２４の細孔径の方が小さいため、顔料インク層２５はインク受容層２４の表面に形成される。
【０００９】
このように、顔料インク層２５がインク受容層２４の表面に形成されるので、顔料インク層２５に外力が加わった場合には、画像表面が傷つきやすい。また、場合によっては、外力によって顔料インク層２５（画像）が剥れてしまうこともある。このような理由により、顔料インクを使用して形成した画像は、耐擦過性の問題が顕著に発生すると考えられている。
【００１０】
特許文献１には、顔料インクを使用して形成した画像を保護する一般的な方法として、画像の記録面をカバーフィルムによって覆うラミネートフィルム方式が開示されている。また特許文献２には、画像の記録面を透明樹脂液によって固める液ラミネート方式が開示されている。また、特許文献３には、記録媒体のインク受容層に熱可塑性樹脂粒子を混合し、顔料インクによって画像を記録した後に記録媒体を加熱して、顔料インク層とインク受容層とを接着させる後処理方式が開示されている。
【００１１】
ラミネートフィルム方式は、画像の表面を膜強度の高い樹脂フィルムによってカバーするために、耐擦過性の問題は解決できるものの、画像の表面をフィルムによって覆うために、紙などの記録媒体本来の風合いが損なわれてしまう。また、ラミネート処理は、記録装置とは別の装置を用いて行うため、コストアップを招いてしまう。
【００１２】
液ラミネート方式は、画像の記録直後に、同じ記録装置内にて液ラミネート処理を行うことができる。しかし、耐擦過性の十分な効果を得るためには、数ミクロンの膜厚を形成することが必要となり、ラミネートフィルム方式同様、紙などの記録媒体本来の風合いが損なわれてしまう。特許文献２に開示されているように、１ミクロン以下の薄膜を形成した場合には、実用上、さらに高い耐擦過性能が要求される。
【００１３】
後処理方式は、耐擦過性の向上が期待できる記録媒体の種類が限定され、また加熱処理工程を必要とするために装置の大型化を招いてしまう。
【００１４】
このような耐擦過性の問題に対しては、光沢紙上の顔料インク層２５の表層に透明層を形成して、画像表面の動摩擦係数を下げることが極めて効果的である。そこで、近年のインクジェット記録装置では、耐擦過性の機能を持つ樹脂を含有した処理液によって透明層が形成された光沢紙を用いて、記録する構成が提案されている。
【００１５】
図２２（ｂ）は、処理液を用いて透明層が形成された画像の断面を模式的に示した図である。顔料インク層２５を覆うように、最表面に処理液による透明層２６を形成する。この透明層２６による顔料インク層２５の保護によって、爪の接触等の外力による画像表面の剥れや傷が発生しにくい画像を得ることができ、耐擦過性を改善することができる。
【００１６】
特許文献４には、以上のような処理液を付与させる一般的な付与方法として、アニオン性染料インクによる画像の耐水性を向上させるために、アニオン性染料インクの付与後に、カチオン性物質を含んだ処理液を付与させる方法が開示されている。この方法においては、マルチパス方式の記録装置を用い、複数回の走査に分けてインクを記録媒体に付与することにより画像を記録する。そして、それら複数回の記録走査の内の最後の記録走査（最終記録走査）において、処理液の吐出データに基づいて、インクが吐出された位置に処理液を吐出させる。
【００１７】
【特許文献１】特開２０００−１５３６７７号公報
【特許文献２】特開２００５−８１７５４号公報
【特許文献３】特開２００３−１７０６５０号公報
【特許文献４】特開平８−２１６４３２号公報
【発明の開示】
【発明が解決しようとする課題】
【００１８】
インクにより記録された記録媒体上の画像の最表面を透明層によって覆うことは、耐擦過性などの画像性能を向上させる上において極めて効果的である。しかし、複数色の顔料インクによって記録される画像に対して、その画像全面に処理液を付与するためには、顔料インクの各色と比較して、処理液は比較的多量に用いることになる。その結果、処理液用インクタンクの大型化、さらに、処理液消費量が多いことによるランニングコストがアップするなどの問題が生じていた。
【００１９】
また、特許文献４に開示されているように、最終記録走査においてのみ処理液を付与した場合には、処理液が１回の走査によって付与されることになる。そのため、記録媒体が一度に吸収できる総インク量の限界を超えて、その処理液が付与される場合がある。その場合には、インク過多によるインク溢れ現象、あるいは、ブリーディング、ビーディング、乾燥不良、更には、透明層の表面が鏡面に仕上がることによる干渉縞現象などの画像性能に問題が生じることがある。また、マルチパス方式の記録装置において、最終記録走査時にのみ、記録ヘッドの吐出口から処理液を吐出させる場合、処理液を吐出する吐出口が特定範囲の吐出口に集中してしまうため、記録ヘッドの耐久性が損なわれるおそれがある。また、インク吐出用の記録ヘッドを処理液吐出用の記録ヘッドとして用いた場合には、その処理液吐出用の記録ヘッドに存在する複数の吐出口の一部のみしか処理液の吐出に用いられず、他の吐出口は機能することなく無駄となることがある。
【００２０】
本発明の目的は、処理液を適確な時期に吐出することにより、耐擦過性などの画像性能を向上させることと記録ヘッドを長寿命化させることが可能なインクジェット記録装置、インクジェット記録方法、およびデータ生成装置を提供することにある。
【課題を解決するための手段】
【００２１】
本発明のインクジェット記録装置は、インクと処理液とを吐出可能な記録ヘッドを、記録媒体上に対して複数回走査させることによって、前記記録媒体の所定領域に、前記インクによる画像の形成と、前記処理液による前記形成画像の被覆と、を行うインクジェット記録装置であって、前記記録ヘッドから前記インクを吐出するための、前記複数回の走査それぞれに対応するインク用吐出データを取得する取得手段と、前記所定領域毎に、前記複数回の走査のうちの前記インクが吐出される最終の走査が前記複数回の走査のうちの何回目となるかを、前記インク用吐出データに基づいて検出するための検出手段と、を備え、前記最終の走査が何回目であるかに基づいて、前記所定領域毎の前記最終の走査の次の走査で各前記所定領域に前記記録ヘッドから前記処理液を吐出することを特徴とする。
【００２２】
本発明のインクジェット記録方法は、インクと処理液とを吐出可能な記録ヘッドを、記録媒体上に対して複数回走査させることによって、前記記録媒体の所定領域に、前記インクによる画像の形成と、前記処理液による前記形成画像の被覆と、を行うインクジェット記録方法であって、前記記録ヘッドから前記インクを吐出するための、前記複数回の走査それぞれに対応するインク用吐出データを取得する取得工程と、前記所定領域毎に、前記複数回の走査のうちの前記インクが吐出される最終の走査が前記複数回の走査のうちの何回目となるかを、前記インク用吐出データに基づいて検出するための検出工程と、を含み、前記最終の走査が何回目であるかに基づいて、前記所定領域毎の前記最終の走査の次の走査で各前記所定領域に前記記録ヘッドから前記処理液を吐出することを特徴とする。
【００２３】
本発明のデータ生成装置は、インクを吐出可能な記録ヘッドの記録媒体に対する複数回の走査によって前記記録媒体の所定領域に形成されるインクの画像に対して、当該画像を被覆するための処理液を前記記録ヘッドから吐出するための吐出データを生成するデータ生成装置であって、前記所定領域毎に、前記複数回の走査のうちの前記インクが吐出される最終の走査が前記複数回の走査のうちの何回目となるかを取得する取得手段と、前記最終の走査が何回目であるかに基づいて、前記所定領域毎の前記最終の走査の次の走査で各前記所定領域に前記記録ヘッドから前記処理液を吐出させるように前記吐出データを生成する生成手段と、を備えることを特徴とする。
【発明の効果】
【００２４】
本発明によれば、インクによる画像の形成が終了した後の所定領域に対して、記録ヘッドの複数回の走査で処理液を吐出させることにより、処理液の吐出時期を２回以上の走査時に分けることができる。これにより、処理液によって画像の耐擦過性などの画像性能を向上させつつ、記録媒体に吐出された処理液の乾燥を促進させ、インク溢れなど発生を抑えて、高品位の画像を記録することができる。さらに、処理液の吐出時期を２回以上の走査時に分けるため、処理液の吐出に使用する記録ヘッドの範囲を広げて、記録ヘッドの耐久性を向上させることもできる。
【発明を実施するための最良の形態】
【００２５】
本明細書において、「処理液」とは、インクと接触させることによって、画像堅牢性や画像品位といった画像性能を向上させる液体（画像性能向上液）である。ここで、「画像堅牢性を向上させる」とは、耐擦過性、耐候性、耐水性、耐アルカリ性の少なくとも１つを向上させて、インクにより形成された画像の堅牢性を向上させる意である。一方、「画像品位を向上させる」とは、光沢性、ヘイズ性、ブロンズ性の少なくとも１つを向上させて、インクにより形成された画像の品位を向上させる意である。本実施形態では、画像堅牢性のうち、耐擦過性を向上させる処理液を例に説明する。
【００２６】
以下に図面を参照して、本発明の好適な実施形態について詳細に説明する。
【００２７】
（第１の実施形態）
図１から図１４は、本発明の第１の実施形態の説明図である。以下、その第１の実施形態を（全体的構成）、（インクと処理液の組成）、（記録動作）、（画像処理システムの構成例）、（処理液の吐出データの生成方法）の項目に分けて説明する。
【００２８】
（全体的構成）
図１は、本実施形態のインクジェット記録装置の要部を示した斜視図である。記録ヘッド２２は、カラー顔料インク用の記録ヘッドと、処理液用の記録ヘッドと、を有する。これらの記録ヘッドに備えられた吐出口から、記録媒体１に対してカラー顔料インクや処理液が吐出されることにより、記録が行われる。記録ヘッド２２は、ブラック（Ｋ）、シアン（Ｃ）、マゼンタ（Ｍ）、イエロー（Ｙ）のカラー顔料インク、および処理液（Ｈ）をそれぞれ吐出する５つの記録ヘッド２２Ｋ、２２Ｃ、２２Ｍ、２２Ｙを有する。また、インクタンク２１は、記録ヘッド２２Ｋ、２２Ｃ、２２Ｍ、２２Ｙ、２２Ｈの夫々に供給する、対応する色のインクおよび処理液を貯蔵する５つのインクタンク２１Ｋ、２１Ｃ、２１Ｍ、２１Ｙ、２１Ｈを有する。そして、これらの記録ヘッド２２およびインクタンク２１は、主走査方向（矢印Ｘ方向）に移動可能になっている。
【００２９】
キャップ２０は、７つの記録ヘッド夫々のインク吐出面をキャップするために、５つのキャップ２０Ｋ、２０Ｃ、２０Ｍ、２０Ｙおよび２０Ｈを有する。記録ヘッド２２およびインクタンク２１は、記録を行なわないときには、キャップ２０の有るホームポジションに戻って待機する。そして、記録ヘッド２２のホームポジションでの待機が一定時間に達した場合には、記録ヘッド２２のインク吐出面（吐出口の形成面）が乾燥するのを防止するために、記録ヘッド２２がキャップされる。
【００３０】
なお、これらの記録ヘッドやインクタンクを個別的に言及する場合には、夫々に付された参照番号を用いるが、包括的に言及する場合には総称的な参照番号として、記録ヘッドには「２２」、インクタンクには「２１」、キャップには「２０」を用いる。
【００３１】
本例において、記録ヘッドとインクタンクは、一体的または分離可能にヘッドカートリッジを構成し、そのヘッドカートリッジが不図示のキャリッジに着脱可能に搭載される。記録ヘッドとインクタンクは、ヘッドカートリッジを構成せずに、別々にキャリッジに搭載されるものであってもよい。
【００３２】
キャリッジは、矢印Ｘの主走査方向に沿って移動自在にガイドされており、ベルト４を介して、キャリッジモータ２により主走査方向に往復移動される。記録媒体１は、搬送ローラによって、主走査方向と交差（本例の場合は、直交）する副走査方向（矢印Ｙ方向）に搬送される。
【００３３】
図２は、記録ヘッド２２を吐出口側から見た図である。本例の記録ヘッド２０Ｋ、２０Ｃ、２０Ｍ、２０Ｙ、および２０Ｈには、ノズルを形成する吐出口２３が主走査方向と交差（本例の場合は、直交）する方向（矢印Ｙ方向）に沿って１２００ｄｐｉの密度で１２８０個設けられている。各吐出口２３から１度に吐出されるインクの吐出量は約４ｎｇである。本実施形態では、顔料インクを吐出するための記録ヘッドと、処理液を吐出するための記録ヘッドは、同一形態のものを用いる。
【００３４】
（インクと処理液の組成）
次に、本実施形態で用いる顔料インクと処理液の組成について説明する。
【００３５】
（イエローインク）
（１）分散液の作製
まず、スチレン／ブチルアクリレート／アクリル酸共重合体（共重合比（重量比）＝３０／４０／３０）、酸価２０２、重量平均分子量６５００、固形分１０％のポリマー水溶液を、水酸化カリウムで中和した。上記ポリマー水溶液３０部と、顔料［Ｃ．Ｉ．ピグメントイエロー７４（製品名：Ｈａｎｓａ  Ｂｒｉｌｌｉａｎｔ  Ｙｅｌｌｏｗ  ５ＧＸ（クラリアント社製））］１０部と、イオン交換水６０部と、を混合し、機械的に撹拌した。次に、上記材料をバッチ式縦型サンドミル（アイメックス製）に仕込み、０．３ｍｍ径のジルコニアビーズを１５０部充填し、水冷しつつ、１２時間分散処理を行った。更に、この分散液を遠心分離機にかけて粗大粒子を除去した。そして、最終調製物として、固形分が約１２．５％、重量平均粒径が１２０ｎｍのイエロー顔料分散体を得た。
【００３６】
（２）インクの作製
インクの作製は、上記イエロー顔料分散体を使用し、これに以下の成分を混合し、十分に攪拌した後、ポアサイズ１．０μｍのミクロフィルター（富士フィルム製）を用いて加圧濾過し、インクを調製した。
・上記イエロー顔料分散体  ４０部
・グリセリン                ９部
・エチレングリコール        ６部
・アセチレングリコールエチレンオキサイド付加物（商品名：アセチレノールＥＨ）１部
・１，２−ヘキサンジオール  ３部
・ポリエチレングリコール（分子量１０００）  ４部
・イオン交換水            ３７部
【００３７】
（マゼンタインク）
（１）分散液の作製
まず、ベンジルアクリレートとメタクリル酸を原料として、常法により、酸価３００、数平均分子量２５００のＡＢ型ブロックポリマーを作り、更に、水酸化カリウム水溶液で中和し、イオン交換水で希釈して均質な５０質量％ポリマー水溶液を作成した。上記ポリマー溶液の１００ｇと、Ｃ．Ｉ．ピグメントレッド１２２の１００ｇと、イオン交換水の３００ｇと、を混合し、機械的に０．５時間撹拌した。次に、マイクロフリュイダイザーを使用し、上記混合物を、液体圧力約７０ＭＰａ下で相互作用チャンバ内に５回通すことによって処理した。更に、この分散液を遠心分離処理にかけて、粗大粒子を除去した。そして、最終調製物として、顔料濃度が１０質量％、分散剤濃度が５質量％のマゼンタ分散液を得た。
【００３８】
（２）インクの作製
インクの作製は、上記マゼンタ分散液を使用し、これに以下の成分を混合し、十分に撹拌した後、ポアサイズ２．５μｍのミクロフィルター（富士フイルム製）を用いて加圧濾過し、顔料濃度４質量％、分散剤濃度２質量％のインクを調製した。
・上記マゼンタ分散液      ４０部
・グリセリン              １０部
・ジエチレングリコール    １０部
・アセチレングリコールＥＯ付加物  ０．５部
・イオン交換水    ３９．５部
【００３９】
（シアンインク）
（１）分散液の作製
まず、ベンジルアクリレートとメタクリル酸を原料として、常法により、酸価２５０、数平均分子量３０００のＡＢ型ブロックポリマーを作り、更に、水酸化カリウム水溶液で中和し、イオン交換水で希釈して均質な５０質量％ポリマー水溶液を作成した。上記のポリマー溶液の１８０ｇと、Ｃ．Ｉ．ピグメントブルー１５：３の１００ｇと、イオン交換水の２２０ｇと、を混合し、機械的に０．５時間撹拌した。次に、マイクロフリュイダイザーを使用し、この混合物を、液体圧力約７０ＭＰａ下で相互作用チャンバ内に５回通すことによって処理した。更に、この分散液を遠心分離処理にかけて粗大粒子を除去した。そして、最終調製物として、顔料濃度が１０質量％、分散剤濃度が１０質量％のシアン分散液を得た。
【００４０】
（２）インクの作製
インクの作製は、上記シアン分散液を使用し、これに以下の成分を混合し、十分に撹拌した後、ポアサイズ２．５μｍのミクロフィルター（富士フイルム製）を用いて加圧濾過し、顔料濃度２質量％、分散剤濃度２質量％のインクを調製した。
・上記シアン分散液        ２０部
・グリセリン              １０部
・ジエチレングリコール    １０部
・アセチレングリコールＥＯ付加物  ０．５部
・イオン交換水        ５３．５部
【００４１】
（ブラックインク）
（１）分散液の作製
イエローインクに使用したポリマー水溶液を１００ｇ、カーボンブラックを１００ｇ、およびイオン交換水を３００ｇを混合し、機械的に０．５時間撹拌する。次に、マイクロフリュイダイザーを使用し、この混合物を、液体圧力約７０ＭＰａ下で相互作用チャンバ内に５回通すことによって処理した。更に、この分散液を遠心分離処理にかけて粗大粒子を除去した。そして、最終調製物として、顔料濃度が１０質量％、分散剤濃度が６質量％のブラック分散液を得た。
【００４２】
（２）インクの作製
インクの作製は、上記ブラック分散液を使用し、これに以下の成分を混合し、十分に撹拌した後、ポアサイズ２．５μｍのミクロフィルター（富士フイルム製）を用いて加圧濾過し、顔料濃度５質量％、分散剤濃度３質量％のインクを調製した。
・上記ブラック分散液      ５０部
・グリセリン              １０部
・トリエチレングリコール  １０部
・アセチレングリコールＥＯ付加物  ０．５部
・イオン交換水        ２５．５部
【００４３】
（処理液）
（１）処理液の作製
以下の成分を混合し、十分に攪拌して、処理液を調製した。
・市販のアクリルシリコーン共重合体（商品名：サイマックＵＳ−４５０；東亞合成製）５部
・グリセリン            ５部
・エチレングリコール  １５部
・アセチレングリコールエチレンオキサイド付加物（商品名：アセチレノールＥＨ）  ０．５部
・イオン交換水    ７４．５部
【００４４】
本実施形態の処理液には、画像の最表面に透明層を形成して、耐擦過性を向上させるための透明樹脂材料を含有させることが重要である。このような透明樹脂材料としては、ポリジメチルシロキサン成分を共重合した透明樹脂材料があり、これを用いると、滑り性が生じて動摩擦係数を効率的に下げることが可能となる。本実施形態では、市販のポリジメチルシロキサン成分を共重合した透明樹脂材料（上述したアクリルシリコーン共重合体：サイマックＵＳ−４５０）を用いる。この処理液は、コートインク、表面コートインク、クリアインク、反応液と称することもある。
【００４５】
図２１は、一般的なポリジメチルシロキサン成分の化学構造の模式図である。ポリジメチルシロキサン成分は、（Ｓｉ−Ｏ−Ｓｉ）のシロキサン結合鎖の周囲にメチル基（−ＣＨ３）が配置されているため、極性が低い分子構造となっている。従って、ポリジメチルシロキサン系化合物は、本実施形態で用いる処理液により形成された透明層の表面や界面に移動して、その表面や界面及びその近傍に局在化する性質を有する。この結果、透明層の表面エネルギーが低下し、透明層と人の爪との親和性も低くなり、人の爪に対する動摩擦係数を顕著に低下することができると考えられる。
【００４６】
滑り性が生じる透明樹脂材料としては、他に、アクリル系樹脂にシリコーンオイルを添加したものなどが挙げられるが、顔料インク層の最表面に透明層を形成し動摩擦係数を下げることが可能な樹脂材料であれば、いかなる材料も使用することができる。
【００４７】
（記録動作）
次に、本実施形態における記録動作について説明する。本例においては、５回の走査によって、１画素毎（所定領域毎）にインクによる画像層と処理液による透明層を形成するマルチパス記録方式を採用する。その記録方式は、４回の走査時に、各色インクシアン（Ｃ），マゼンタ（Ｍ），イエロー（Ｙ），ブラック（Ｋ）を吐出することによって所定領域に画像を記録し、また、その４回の走査時と、その後の５回目の走査時に、処理液を吐出して透明層を形成する。以下においては、記録動作の説明を簡単にするために、画像の記録に用いるインクは、シアン（Ｃ）とマゼンタ（Ｍ）インクのみとする。
【００４８】
図５は、本例における記録方法の説明図である。シアン（Ｃ），マゼンタ（Ｍ）インク吐出用の記録ヘッド２２Ｃ，２２Ｍ、および処理液吐出用の記録ヘッド２２Ｈは、１２８０個の吐出口が２５６個ずつの５つのブロックＢ１，Ｂ２，Ｂ３，Ｂ４，Ｂ５に５等分される。記録ヘッド２２Ｃ，２２Ｍは、ブロックＢ１〜Ｂ４の範囲α（図２参照）における１０２４個の吐出口が用いられ、以下においては、それらのブロックＢ１〜Ｂ４の吐出口をＡ，Ｂ，Ｃ．Ｄ領域の吐出口ともいう。記録ヘッド２２Ｈは、全ブロックＢ１〜Ｂ５の範囲γ（図２参照）における１２８０個の吐出口が用いられ、以下においては、それらのブロックＢ１〜Ｂ５の吐出口をａ，ｂ，ｃ，ｄ，ｅ領域の吐出口ともいう。図５において５０−１，５０−２，５０−３，…は、記録ヘッドの１つのブロックに相当する記録媒体１上の記録領域である。
【００４９】
まずは、第１走査において、記録領域５０−１の第１走査時の吐出データに基づいて、記録ヘッド２２Ｃ，２２ＭのＡ領域の吐出口からインクを吐出する。また、第１走査時の処理液の吐出データに基づいて、記録ヘッド２２Ｈのａ領域の吐出口から処理液を吐出する。
【００５０】
次に、記録媒体１を、記録ヘッドの１／５の長さ分だけ副走査方向（矢印Ｙ方向）に搬送する。図５においては、記録ヘッドが副走査方向と逆の方向（矢印Ｘ方向）に相対移動するものとして現されている。その後の第２走査においては、記録領域５０−１の第２走査時の吐出データに基づいて、記録ヘッド２２Ｃ，２２ＭのＢ領域の吐出口からインクを吐出する。また、第２走査時の処理液の吐出データに基づいて、記録ヘッド２２Ｈのｂ領域の吐出口から処理液を吐出する。この第２走査時には、記録領域５０−２に対する第１走査が行なわれる。
【００５１】
次に、記録媒体１を、記録ヘッドの１／５の長さ分だけ副走査方向に搬送する。その後の第３走査においては、記録領域５０−１の第３走査時の吐出データに基づいて、記録ヘッド２２Ｃ，２２ＭのＣ領域の吐出口からインクを吐出する。また、第３走査時の処理液の吐出データに基づいて、記録ヘッド２２Ｈのｃ領域の吐出口から処理液を吐出する。この第３走査時には、記録領域５０−２に対する第２走査と、記録領域５０−３に対する第１走査と、が行なわれる。
【００５２】
次に、記録媒体１を、記録ヘッドの１／５の長さ分だけ副走査方向に搬送する。その後の第４走査においては、記録領域５０−１の第４走査時の吐出データに基づいて、記録ヘッド２２Ｃ，２２ＭのＤ領域の吐出口からインクを吐出する。また、第４走査時の処理液の吐出データに基づいて、記録ヘッド２２Ｈのｄ領域の吐出口から処理液を吐出する。この第４走査時には、記録領域５０−２に対する第３走査と、記録領域５０−３に対する第２走査と、記録領域５０−４に対する第１走査と、が行なわれる。
【００５３】
このような第１から第４走査によって、シアン（Ｃ），マゼンタ（Ｍ）インクによる記録領域５０−１の画像の記録が終了する。
【００５４】
次に、記録媒体１を、記録ヘッドの１／５の長さ分だけ副走査方向に搬送する。その後の第５走査においては、第５走査時における処理液の吐出データに基づいて、記録ヘッド２２Ｈのｅ領域の吐出口から処理液を吐出する。これにより、記録領域５０−１に対する処理液の付与、つまり透明層２６の形成が終了する。この第５走査時には、記録領域５０−２に対する第４走査と、記録領域５０−３に対する第３走査と、記録領域５０−４に対する第２走査と、記録領域５０−５に対する第１走査と、が行なわれる。
【００５５】
以下、同様の走査を繰り返すことにより、記録領域５０−２，５０−３，…に対する画像の記録と透明層２６の形成が順次終了することになる。
【００５６】
光沢紙に顔料インクを用いて画像を形成した場合、図２２（ａ）を用いて上述したように、着色顔料粒子がインク受容層２４の内部に進入することができず、顔料インク層２５がインク受容層２４の表面に形成される。従って、顔料インク層２５に直接外力が加わった場合には、画像表面に傷がつきやすく、顔料インク層２５が剥れてしまうこともある。実際の使用環境では、記録媒体を丸めたり壁に貼ったりなどのハンドリング過程において、「爪と接触」したときの画像の損傷が極めて大きく、顔料インク層２５がインク受容層２４から完全に剥がれ落ちる場合もある。一方、図２２（ｂ）のように、顔料インク層２５の最表面を覆うように処理液によって透明層２６を形成すると、顔料インク層が爪等と直接接触することがなくなるため、顔料インク層の剥れを抑制することができる。このように顔料インク層を直接的に保護することは、耐擦過性向上に対し極めて効果的である。
【００５７】
（画像処理システムの構成例）
図３は、本発明の代表的な実施形態であるインクジェット装置における制御系の構成を示すブロック図である。ホストコンピュータ（画像入力部）２８は、ハードディスク等の各種記憶媒体に保存されている多値画像データを、インクジェット記録装置３０１内にある画像処理部２９に送信する。多値画像データは、ホストコンピュータ２８に接続されたスキャナやデジタルカメラ等の画像入力機器からも受け取ることができる。画像処理部２９は、入力された多値画像データに後述する画像処理を施して、２値画像データに変換する。これにより、複数種類の顔料インクを記録ヘッドから吐出するための２値画像データ（インク用吐出データ）が生成可能である。また、処理液を吐出するための２値画像データ（処理液用吐出データ）もここで生成される。画像出力部３０は、画像処理部２９から送られてきた少なくとも２種類以上の顔料インクと処理液の２値画像データに基づいて、顔料インクおよび処理液を記録媒体に付与することで画像を記録する。
【００５８】
画像出力部３０自体は、ＲＯＭ３０４に記録されたプログラムに従って、ＭＰＵ（Micro Processor Unit）３０２により制御される。ＲＡＭ３０５は、ＭＰＵ３０２の作業領域や一時データ保存領域として利用される。ＭＰＵ３０２は、ＡＳＩＣ３０３を介して、キャリッジの駆動系３０８、記録媒体の搬送駆動系３０９、記録ヘッドの回復駆動系３１０、および記録ヘッドの駆動系３１１の制御を行う。また、ＭＰＵ３０２は、ＡＳＩＣ３０３から読み書き可能なプリントバッファ３０６に対して、読み書きが可能な構成になっている。
【００５９】
プリントバッファ３０６は、記録ヘッドへ転送できる形式に変換された画像データを一時保管する。マスクバッファ３０７は、プリントバッファ３０６から記録ヘッドに転送されるデータを必要に応じてアンド処理するための所定のマスクパターンを、一時的に保管する。なお、パス数の異なるマルチパス記録のための複数組のマスクパターンは、ＲＯＭ３０４内に用意され、実際の記録時に、該当するマスクパターンがＲＯＭ３０４から読み出されてマスクバッファ３０７に格納される。
【００６０】
（処理液の吐出データの生成方法）
次に、本実施形態の処理液の吐出データの生成方法を、図４を用いて説明する。図４は、図３の画像処理部２９のブロック構成図であって、この画像処理部２９において、顔料インクの吐出データと、その顔料インクの吐出データに基づいた処理液の吐出データと、が生成される。
【００６１】
具体的には、まず、画像入力部２８からＲＧＢ形式の多値画像データが入力される。次いで、そのＲＧＢ形式の多値画像データが、画像の記録に用いる複数種類のインク（Ｋ、Ｃ、Ｍ、Ｙ）夫々に対応する多値画像データに変換される。次いで、２値化手段３１において、２値化パターン記憶手段３２に記憶されたパターンに従って、各種インクに対応する多値画像データが、各種インクに対応する２値のビットマップデータに展開される。これにより、複数種類の顔料インク夫々を付与するための２値画像データ（インク用吐出データ）が生成される。
【００６２】
処理液を付与するための処理液用吐出データは、このようにして生成された複数種類の顔料インクの２値画像データ（インク用吐出データ）に基づいて生成される。この処理液用吐出データの生成には、処理液用のパターン記憶手段３５、処理液用のデータ生成手段３３、および論理和演算処理手段（ＯＲ回路）３４が用いられる。
【００６３】
図６は、処理液用のパターン記憶手段３５に記憶されている処理液用マスクパターンを示した図である。この処理液用マスクパターンと、複数種類の顔料インクの２値画像データ（インク用吐出データ）に基づいて生成された処理液用の２値画像データと、のＯＲ処理により、間引かれた処理液用の２値画像データが生成される。この処理液用マスクパターンは、４×４画素の単位マトリクスにおいて、記録デューティーが１００％の処理液用の２値画像データを間引いて、インクの吐出数（インクドットの形成数）を７５％とすることができる。本発明においては、必ずしも、図２２（ｂ）のように顔料インク層２５の全面を処理液による透明層２６で覆う必要は無く、顔料インク層が部分的に覆われていない箇所があってもよい。直接外力が加わらない程度に顔料インク層が透明層によって覆われていれば、耐擦過性は改善することができる。
【００６４】
本実施形態においては、図２２（ｂ）のように、顔料インクにより光沢紙（記録媒体）上に形成したインク層２５を、７５％覆う程度の透明層２６によっても、爪との接触による画像面の剥がれや傷を軽減して、良好な耐擦過性を得ることができる。このような認識に基づき、処理液用マスクパターンとして、処理液用の２値画像データを７５％の割合で間引くための図６のマスクパターンが記憶されている。この処理液用マスクパターンは、透明層２６がインク層２５を１００％覆うように、処理液用の２値画像データを生成するパターンであってもよい。
【００６５】
次に、本実施形態で用いた顔料インクのうち、シアン（Ｃ）とマゼンタ（Ｍ）インクを例に挙げて、処理液の吐出データ（処理液用の２値画像データ）の生成方法について説明する。
【００６６】
前述したように、図４の２値化手段３１によって、シアン（Ｃ）とマゼンタ（Ｍ）インクのビットマップ（Ｃ，Ｍデータ）が２値化される。それらのＣ，Ｍデータが、例えば図７のように、シアン（Ｃ）とマゼンタ（Ｍ）のインクドットを記録領域５０−１（図５参照）に形成するものである場合には、以下の画像処理によって処理液の吐出データが生成される。図７において、シアン（Ｃ）インクのドットを形成するためのＣデータを「Ｃ」、マゼンタ（Ｍ）インクのドットを形成するためのＭデータを「Ｍ」と表示する。他の図面においても同様である。
【００６７】
まず、処理液用のデータ生成手段３３（図４参照）は、シアン（Ｃ）およびマゼンタ（Ｍ）インク用の２値のビットマップ（Ｃ，Ｍデータ）に基づいて、それらのインクによる画像形成が、複数回の走査の内の何回目の走査で終了するかを１画素毎に検出する。そのために、それらのＣデータおよびＭデータを第１走査から第４走査毎のデータに分解する。記録領域５０−１の第１，第２，第３，第４走査におけるＣ，Ｍデータは、記録ヘッド２２Ｃ，２２Ｍの領域Ａ，Ｂ，Ｃ，Ｄ（図５参照）に対応する。本例においては、Ｃデータを図８（ａ）から（ｄ）のように分解し、Ｍデータを図９（ａ）から（ｄ）のように分解する。そして、図１０（ａ）から（ｄ）のように、各走査毎に、ＣデータとＭデータとの和を求める。図１１は、第１走査のデータ（図１０（ａ））を「１」、第２走査のデータ（図１０（ｂ））を「２」、第３走査のデータ（図１０（ｃ））を「３」、第４走査のデータ（図１０（ｄ））を「４」の数値に置き換えて表している。同一画素に異なる走査のデータが重なった場合には、大きい数値を採用する。その理由は、インクによる画像形成が終了する走査を検知するためである。
【００６８】
このようにして、画像を形成するための複数回の走査において、１画素毎（所定領域毎）に、画像形成が終了する走査（画像形成終了走査）が何番目の走査であるかが検出される。つまり、図１０（ａ）から（ｄ）のデータに基づいて、画像形成終了時の走査番号（１から４）が検出される。後述するように、この画像形成終了走査以降における２回以上の走査時に、処理液が吐出されることになる。
【００６９】
次に、図１２のように図１１の数値に「１」を加える。これにより、インクによる画像形成終了時の走査番号が、処理液による透明層の形成が開始するときの走査番号に変換されたことになる。図１１において、データが元々無かった余白画素については、既に画像形成が終了したものと見なし、後述するように第１走査において処理液が吐出できるように「１」とした。以上の処理は、処理液用のデータ生成手段３３における処理内容である。
【００７０】
次に、論理和演算処理手段（ＯＲ回路）３４によって、処理液用のパターン記憶手段３５に予め記憶された図６のパターンと、処理液用のデータ生成手段３３により生成された図１２のデータと、の論理和をとって、図１３のデータを生成する。このデータは、処理液吐出用の記録ヘッド２２Ｈの第１走査から第５走査に振り分ける。つまり、論理和がとられたデータは、図１４（ａ）から（ｅ）のように、数値「１」，「２」，「３」，「４」，「５」に応じて、第１，第２，第３，第４，第５走査に振り分けられる。図１４（ａ）から（ｅ）において、処理液吐出用のデータ（ドットデータ）は「Ｈ」と表示する。前述したように、第１，第２，第３，第４，第５走査においては、記録ヘッド２２Ｈの全範囲γ（領域ａ，ｂ，ｃ，ｄ，ｅ）の吐出口が用いられる。
【００７１】
このように、各走査毎の処理液の吐出データを生成することにより、前述したように、処理液吐出用の記録ヘッド２２Ｈの全領域の範囲γを用いて、処理液を吐出することができる。なお、各インク色の吐出データから処理液の吐出データを生成する方法、および、処理液の吐出データを各走査に分配する方法は、前述した方法のみに特定されない。
【００７２】
各インク色の吐出データと、処理液の吐出データと、は、プリントデータとして画像出力部３０へ送られる。画像出力部３０は、そのプリントデータに基づいて、前述したように画像と透明層を形成する。
【００７３】
以上のように本実施形態は、画像を形成するための複数回の走査において、１画素毎（所定領域毎）に、画像形成が終了する走査（画像形成終了走査）が何番目の走査であるかを検出する。すなわち、１画素毎において、画像形成終了走査を検出し、その検出された走査の次の走査時以降に処理液を吐出する。そのため、１画素毎に吐出されるインクと処理液において、最後に吐出されるのは処理液となり、その処理液は、画像形成用の各色インクのドットを覆うように透明層を形成し、その透明層は、画像の耐擦過性を向上させることができる。また、処理液を吐出するために、記録ヘッド２１Ｈの全範囲の吐出口を使用するため、ノズルの耐久性を向上させることができる。仮に、処理液の吐出を複数回の走査の内の最終走査（第５走査）の１回とした場合には、図２３における記録ヘッド２１Ｈの範囲βの吐出口が集中的に使用されることになり、そのノズルの耐久性が損なわれるおそれがある。また、処理液の吐出データを複数回の走査に分散させることにより、記録媒体上及び画像上での処理液のドット乾燥を促進して、インク溢れなどの画像不良問題、及び、透明層の表面が鏡面に仕上がることによる干渉縞現象などの画像性能を改善することもできる。
【００７４】
（第２の実施形態）
図１５から図２０は、本発明の第２の実施形態の説明図である。本実施形態においては、各色インクの吐出データを複数回の走査に分けるためのマスクパターンを利用して、処理液の吐出データを複数回の走査に分けるためのマスクパターンを設定し、それを予め用意しておく。本例の場合は、最終走査と、その前の走査と、の２回の走査において処理液を吐出することにより、透明層を形成する。また、後述するように、各色インクの吐出データが有る画素、および、その吐出データが無い画素（余白画素）のいずれにおいても、処理液吐出用のマスクパターンにしたがって、処理液を吐出するか否かが決定される。
【００７５】
本実施形態においても前述した実施形態と同様に、４回の走査によって画像を形成する記録方式とし、また画像の形成に用いる顔料インクはシアン（Ｃ）とマゼンタ（Ｍ）インクのみとして説明する。また、前述した実施形態と同様の部分については、説明を省略する。
【００７６】
図１５は、本実施形態における記録方法の説明図であり、前述した実施形態と同様に、第１から第４走査によって、シアン（Ｃ）とマゼンタ（Ｍ）インクによる記録領域５０−１の画像の記録が終了する。一方、透明層は、最終走査である第５走査と、その前の第４走査と、の２回の走査において処理液を吐出することにより形成される。このように処理液を吐出するための吐出データは、以下のように生成される。
【００７７】
前述したように、図４の２値化手段３１によって、シアン（Ｃ）とマゼンタ（Ｍ）インクのビットマップ（Ｃ，Ｍデータ）が２値化される。それらのＣ，Ｍデータが、例えば図７のように、シアン（Ｃ）とマゼンタ（Ｍ）のインクドットを記録領域５０−１（図１５参照）に形成するものである場合には、以下の画像処理によって処理液の吐出データが生成される。
【００７８】
まず、それらのＣデータおよびＭデータは、第１走査から第４走査毎のデータに分解される。記録領域５０−１の第１，第２，第３，第４走査におけるＣ，Ｍデータは、記録ヘッド２２Ｃ，２２Ｍの領域Ａ，Ｂ，Ｃ，Ｄに対応する。前述した実施形態と同様に、Ｃデータを図８（ａ）から（ｄ）のように分解し、Ｍデータを図９（ａ）から（ｄ）のように分解する。Ｃデータの分解は、予め用意された図１６（ａ）から（ｄ）のランダムマスクＣを用いて行ない、またＭデータの分解は、予め用意された図１７（ａ）から（ｄ）のランダムマスクＭを用いて行なう。図１８は、第４走査のランダムマスクＣ（図１６（ｄ））と、第４走査のランダムマスクＭ（図１７（ｄ））と、の和に対応するマスクパターンである。
【００７９】
第５走査時における処理液の吐出データの生成には、図１９（ｂ）のマスクパターンを用いる。このマスクパターンは、図１８のマスクパターンである。第４走査時にインクが吐出される予定の画素では、第５走査時でしか処理液を吐出することができないからである。第４走査時における処理液の吐出データの生成には、図１８のマスクパターンの逆パターン（図１９（ａ）のマスクパターン）を用いる。このマスクパターンは、第３走査時までにインクの吐出が終了する予定の画素のパターンになっている。このような図１９（ａ），（ｂ）のマスクパターンに対応する処理液用データの生成は、処理液用のデータ生成手段３３における処理内容である。
【００８０】
次に、論理和演算処理手段（ＯＲ回路）３４によって、処理液用のパターン記憶手段３５に予め記憶された図６のパターンと、処理液用のデータ生成手段３３により生成されたデータと、の論理和をとって、図２０（ａ）から（ｅ）のデータを生成する。すなわち、図６のパターンと、図１９（ａ）のマスクパターンに対応する処理液用データと、の論理和によって、図２０（ｄ）のように、第４走査時における処理液の吐出データを生成する。また、図６のパターンと、図１９（ｂ）のマスクパターンに対応する処理液用データと、の論理和によって、図２０（ｅ）のように、第５走査時における処理液の吐出データを生成する。
【００８１】
図１５のように、第４走査時の処理液の吐出には、記録ヘッド２２Ｈの領域ｄの吐出口が用いられ、第５走査時には領域ｅの吐出口が用いられる。つまり、領域ｄ，ｅの吐出口を用いて、２回の走査に分けて処理液を吐出することができる。なお、各インク色の吐出データを生成するためのマスクパターンから、処理液の吐出データを生成する方法は、前述した方法のみに特定されない。
【００８２】
このように本実施形態においては、顔料インクなどによる画像形成に用いられるマスクパターンに基づいて、最終走査と、その前の走査と、の２回の走査に分けて処理液を吐出する。したがって、それらの走査時における処理液の吐出パターン、つまり処理液によって形成されるドットの配置パターンを予め決定しておくことができ、その結果、記録のための制御が構造的にも時間的にも容易となる。
【００８３】
また、本実施形態においても前述した実施形態と同様に、処理液吐出用の記録ヘッドの吐出口の範囲が広くなることにより、ノズルの耐久性を向上させることができる。また、処理液の吐出データを複数回の走査に分散させることにより、記録媒体上及び画像上での処理液のドット乾燥を促進して、インク溢れなどの画像不良問題、及び、干渉縞現象を改善することもできる。
【００８４】
（他の実施形態）
前述の実施形態において、顔料インクを吐出するためのノズルを構成する吐出口と、処理液を吐出するためのノズルを構成する吐出口と、が主走査方向に並ぶように、記録ヘッドが構成されている。しかし、それらの吐出口が主走査方向と交差する方向（例えば、副走査方向）にずれるように構成された記録ヘッドを用いることもできる。また、処理液吐出用のノズルの数が顔料インク吐出用のノズルよりも多くて、前者のノズルの列が後者のノズルの列よりも長くてもよい。
【００８５】
前述した第１の実施形態において、処理液の吐出時期は、最終走査（第５走査）と、その前の複数の走査（第１，第２，第３，第４走査）と、に分けられた。また、第２の実施形態においては、処理液の吐出時期が、最終走査（第５走査）と、その前の走査（第４走査）と、に分けられた。しかし、１画素毎等の単位領域の画像形成が終了した後に、その画像形成が終了した単位領域に対して、処理液を複数回の走査に分けて吐出することができればよい。したがって、処理液の吐出時期の分割数や分割方法は、前述した実施形態のみに特定されず、例えば、最終走査（第５走査）と、その前の第１，第３走査と、に分けてもよい。また、全ての単位領域に関して、必ずしも画像形成後に処理液を付与する必要はない。全ての単位領域の内の一部に関しては、前述の実施形態のように、処理液用マスクパターンを用いて処理液用の吐出データを間引いても良い。また、全ての単位領域の内の一部に関しては、画像形成が終了する前に処理液を吐出してもよい。それは、記録媒体上及び形成画像上において吐出された処理液が広がり、画像性能を向上させるための必要な被覆率を超えれば良いからである。
【００８６】
また、顔料インクの吐出データが無い画素（余白画素）に関して、第１の実施形態においては最初の走査時に処理液を吐出し、また第２の実施形態においては、最終走査（第５走査）と、その前の走査（第４走査）と、に分けて処理液を吐出した。しかし、顔料インクの吐出データが無い画素（余白画素）に関しては、最終走査の１回のみにおいて処理液を吐出しても同様の効果を得ることができる。したがって、顔料インクの吐出データが無い画素（余白画素）に関しては、処理液の吐出時期の分割数や分割方法は限定されない。更には、顔料インクの吐出データが無い画素（余白画素）に関しては、処理液の吐出を行わなくても良い。
【００８７】
前述した実施形態においては、顔料インクによる画像形成が終了した後として、画像形成が終了した走査の次の走査以降で、処理液を吐出するようにした。しかし、顔料インクによる画像形成が終了した後ならば、画像形成が終了する同一の走査にて処理液を吐出するようにしてもよい。その場合、前述の実施形態で用いた記録ヘッド（図２）ならば処理液を吐出する吐出口列が１列のため、双方向印字のうち片方向（矢印Ｘ１方向）時において同一走査で処理液の吐出を行うことができる。また、記録ヘッドの両端に処理液を吐出する吐出口列を備えた記録ヘッドを用いた場合には、記録方向によって用いる処理液の吐出口列を切り替えることで、双方向記録のいずれの方向でも、同一走査内で処理液を吐出することができる。
【００８８】
本発明は、インクと処理液を吐出可能な記録ヘッドを、記録媒体上の所定領域に対して複数回走査させることによって、記録媒体上に、インクによる画像の形成と、処理液による形成画像の被覆と、を行う種々のインクジェット記録装置に対して適用できる。したがって、記録ヘッドの構成や配備数などは、前述した実施形態のみに特定されない。
【００８９】
また本発明は、インクによる画像の形成が終了した後の所定領域に対して、記録ヘッドの複数回の走査における２回以上の走査時に処理液を吐出させることができればよく、処理液を吐出するときの走査は、３回以上であってもよい。所定領域の画像が記録ヘッドの最大ｎ（ｎは２以上の整数）回の走査によって形成される場合、記録ヘッドのｎ回以前における２回以上の走査時に、処理液を吐出させてもよい。また、記録ヘッドのｎ回以降の少なくとも１回の走査を含む２回以上の走査時に、処理液を吐出させてもよい。
【００９０】
また、インクによる画像が形成されない所定領域に関しては、記録ヘッドの複数回の走査における少なくとも１回の走査時に処理液を吐出させてもよい。例えば、記録ヘッドの複数回の走査における最初の走査時に処理液を吐出させることができる。また、所定領域の画像が記録ヘッドの最大ｎ（ｎは２以上の整数）回の走査によって形成される場合に、記録ヘッドのｎ回以降の１回の走査時に、処理液を吐出させてもよい。
【００９１】
また、記録ヘッドは、画像を形成するためのインクとして、１種類のインクを吐出するものであってもよく、また異なる複数のインクを吐出するものであってもよい。
【００９２】
また、前述の実施形態では、画像形成に用いる顔料インクとは別に、これら顔料インクによる画像性能（前述の実施形態では耐擦過性）を向上させる処理液を用いた。このように、処理液は、基本的に画像形成とは別使用であるため、無色透明に近い状態のものであることが好ましい。しかし、ライトシアンインクやライトマゼンタインク、ライトグレーインクなど画像形成に用いる顔料インクのうち、淡色の顔料インクの一部、または全てに、耐擦過性などの機能を向上させる材料を追加してもよい。これにより、それらの有色インクに、画像形成と、耐擦過性などの機能向上と、の両方の役割を担わせることができる。この場合には、インクとは別の処理液のためのインクタンクや記録ヘッドなどの追加部品（使用インクの１色分の追加に伴う部品に相当）が要らないので、記録装置の小型化や低コスト化に大いに貢献できる。もちろん、画像形成に用いる顔料インクのうち、濃色の顔料インクの一部もしくは全てが処理液を兼ねても良い。
【００９３】
また所定領域は、インクによって記録媒体上に形成されるドットに対応する領域の他、種々の領域として設定することができる。また処理液は、記録媒体に表面に透明層を形成するための樹脂成分を含むものであることが望ましいものの、種々のものを用いることができる。
【００９４】
また本発明は、紙や布、不織布、ＯＨＰフィルム等の記録媒体を用いる種々の記録装置に適用することができ、具体的な適用装置としては、プリンタ、複写機、ファクシミリなどの事務機等を挙げることができる。
【００９５】
また、前述の実施形態では、本発明の特徴的な処理を行う画像処理部２９がインクジェット記録装置内部に備えられている形態について説明したが、画像処理部２９は、インクジェット記録装置内部に備えられている必要はない。例えば、図２４に示されるように、インクジェット記録装置と接続されるホストコンピュータのプリンタドライバに、画像処理部２９の機能を持たせるようにしてもよい。この場合、プリンタドライバが、アプリケーションから受け取った多値画像データに基づいて、顔料インク用の吐出データと処理液用の吐出データとを生成し、これらをインクジェット記録装置３０１に供給することになる。このように、ホストコンピュ−タとインクジェット記録装置３０１を含んで構成されるインクジェット記録システムも本発明の範疇である。この場合、ホストコンピュータは、インクジェット記録装置にデータを供給するデータ供給装置として機能し、また、インクジェット記録装置を制御する制御装置としても機能することになる。
【００９６】
また、本発明の主たる特徴は、画像処理部２９にて実行されるデータ処理にある。従って、本発明の特徴的なデータ処理を行う画像処理部２９を備えたデータ生成装置も、本発明の範疇である。画像処理部２９がインクジェット記録装置に備えられている場合には、このインクジェット記録装置が本発明のデータ生成装置として機能する。また、画像処理部２９がホストコンピュ−タに備えられている場合には、このホストが本発明のデータ生成装置として機能する。
【００９７】
更に、上述した特徴的なデータ処理をコンピュータに実行させるコンピュータプログラムや、そのプログラムをコンピュータにより読み出し可能に格納した記憶媒体も、本発明の範疇である。
【図面の簡単な説明】
【００９８】
【図１】本実施形態のインクジェット記録装置の要部を示した斜視図である。
【図２】本実施形態において用いられる記録ヘッドを吐出口側から見た図である。
【図３】本発明の代表的な実施形態であるインクジェット記録装置における制御系のブロック構成図である。
【図４】図３における画像処理部のブロック構成図である。
【図５】本発明の第１の実施形態における記録方法の説明図である。
【図６】図４の処理液用のパターン記憶手段に記憶される処理液用マスクパターンの説明図である。
【図７】シアンインクとマゼンタインクにより形成されるドットの配置の説明図である。
【図８】（ａ）から（ｄ）は、それぞれ、図５中の第１走査から第４走査におけるシアンインクの吐出データの説明図である。
【図９】（ａ）から（ｄ）は、それぞれ、図５中の第１走査から第４走査におけるマゼンタインクの吐出データの説明図である。
【図１０】（ａ）から（ｄ）は、それぞれ、図５中の第１走査から第４走査におけるシアンインクとマゼンタインクの吐出データの説明図である。
【図１１】図１０（ａ）から（ｄ）の吐出データに対応する画像形成終了時の走査番号の説明図である。
【図１２】図１１中の数値に「１」を加えたデータの説明図である。
【図１３】図６の吐出パターンと、図１２のデータと、の論理和をとったデータの説明図である。
【図１４】（ａ）から（ｅ）は、それぞれ、図５中の第１走査から第５走査における処理液の吐出データの説明図である。
【図１５】本発明の第２の実施形態における記録方法の説明図である。
【図１６】（ａ）から（ｄ）は、シアンインク吐出用のランダムマスクパターンの説明図である。
【図１７】（ａ）から（ｄ）は、マゼンタインク吐出用のランダムマスクパターンの説明図である。
【図１８】図１６（ｄ）における第４走査用のマスクパターンと、図１７（ｄ）における第４走査用のマスクパターンと、を合わせたパターンの説明図である。
【図１９】（ａ）および（ｂ）は、それぞれ、第４走査時および第５走査時における処理液吐出用のランダムマスクパターンの説明図である。
【図２０】（ａ）から（ｅ）は、それぞれ、図１５中の第１走査から第５走査における処理液の吐出データの説明図である。
【図２１】処理液に用いるポリジメチルシロキサン成分の化学構造の模式図である。
【図２２】（ａ）は、インク受容層が形成された記録媒体に顔料インクを用いて記録を行った場合の記録画像の断面を模式的に示した図、（ｂ）は、処理液を用いて透明層を最表面に形成した記録画像の断面を模式的に示した図である。
【図２３】比較例としての記録方法における記録ヘッドを吐出口側から見た図である。
【図２４】本発明に適用可能なインクジェット記録システムの概略構成を示す図である。
【符号の説明】
【００９９】
１  記録媒体
２２  記録ヘッド
２３  吐出口
２４  インク受容層
２５  顔料インク層
２６  透明樹脂層
２８  画像入力部
２９  画像処理部
３０  画像出力部
３１  ２値化手段
３２  ２値化パターン記憶手段
３３  コートインク用データの生成手段
３４  論理和（ＯＲ）手段
３５  コートインク用の吐出パターンの記憶手段
【図１】
0005258460.tif 000002
【図２】
0005258460.tif 000003
【図３】
0005258460.tif 000004
【図４】
0005258460.tif 000005
【図５】
0005258460.tif 000006
【図６】
0005258460.tif 000007
【図７】
0005258460.tif 000008
【図８】
0005258460.tif 000009
【図９】
0005258460.tif 000010
【図１０】
0005258460.tif 000011
【図１１】
0005258460.tif 000012
【図１２】
0005258460.tif 000013
【図１３】
0005258460.tif 000014
【図１４】
0005258460.tif 000015
【図１５】
0005258460.tif 000016
【図１６】
0005258460.tif 000017
【図１７】
0005258460.tif 000018
【図１８】
0005258460.tif 000019
【図１９】
0005258460.tif 000020
【図２０】
0005258460.tif 000021
【図２１】
0005258460.tif 000022
【図２２】
0005258460.tif 000023
【図２３】
0005258460.tif 000024
【図２４】
0005258460.tif 000025